(57)【要約】【課題】コネクタハウジング相互を嵌合開始位置に突き合わせた際に、第１コネクタハウジングに装備されている嵌合操作レバーの仮係止状態を確実に解除することができるレバー式コネクタを提供すること。【解決手段】第１コネクタハウジング４に装備されて嵌合操作レバー６を回動開始位置に仮係止するレバー仮係止部４１３と、レバー仮係止部４１３による第１コネクタハウジング４の仮係止を解除する仮係止解除手段と、フード部５１と第１コネクタハウジング４の側面４１ｂとの間の隙間を埋めて第１コネクタハウジング４及び嵌合操作レバー６をフード部５１の側壁内面と平行な姿勢に保持する姿勢保持片６５と、を備えた。【選択図】図１
2016096107.tif 000002
【特許請求の範囲】
【請求項１】
第１コネクタハウジングと、該第１コネクタハウジングが嵌合するフード部を有する第２コネクタハウジングと、前記第１コネクタハウジングの側面に回動可能に連結されて、前記第１コネクタハウジングと前記第２コネクタハウジングとを嵌合開始位置に突き合わせた状態で回動開始位置から回動終了位置まで回動操作することでコネクタハウジング相互の嵌合を完了させる嵌合操作レバーと、を備えるレバー式コネクタであって、
前記第１コネクタハウジングの前記側面に設けられ、前記嵌合操作レバーを前記回動開始位置に仮係止するレバー仮係止部と、
前記フード部の側壁内面に設けられ、前記レバー仮係止部による前記第１コネクタハウジングの仮係止を解除する仮係止解除手段と、
前記嵌合操作レバーのレバー本体に一体形成されて、前記フード部と前記第１コネクタハウジングとの間の隙間を埋めて、前記第１コネクタハウジング及び前記嵌合操作レバーを前記フード部と平行な姿勢に保持する姿勢保持片と、
を備えたことを特徴とするレバー式コネクタ。
【請求項２】
前記姿勢保持片は、前記レバー本体から延出して、前記嵌合操作レバーと前記第１コネクタハウジングとの間に画成されて外部の電線が割り込み可能な隙間を塞ぐ電線噛み込み防止片を兼ねていることを特徴とする請求項１に記載のレバー式コネクタ。
【発明の詳細な説明】
【技術分野】
【０００１】
本発明は、レバー式コネクタに関する。
【背景技術】
【０００２】
図１２〜図１５は、下記特許文献１に開示されたレバー式コネクタを示したものである。
【０００３】
このレバー式コネクタ１００は、図１２に示すように、第１コネクタハウジング１１０と、この第１コネクタハウジング１１０の嵌合相手となる第２コネクタハウジング１２０と、第１コネクタハウジング１１０の側面１１１に回動可能に連結されて回動操作によって第１コネクタハウジング１１０と第２コネクタハウジング１２０とを嵌合させる嵌合操作レバー１３０と、を備えている。
【０００４】
第１コネクタハウジング１１０は、図１２で上面及び下面となる両側面１１１に、嵌合操作レバー１３０を回動可能に支持する一対のレバー支持軸１１２ａ．１１２ｂと、嵌合操作レバー１３０を回動開始位置に仮係止するレバー仮係止部１１３と、第２コネクタハウジング１２０のハウジングガイド溝１２１に摺動可能に嵌合するガイド突起１１４と、を有している。
【０００５】
レバー仮係止部１１３は、側面１１１の上に突出する係止突起で、後述する嵌合操作レバー１３０の係合片１３５と当接することで、嵌合操作レバー１３０を後述の回動開始位置に仮係止する。
【０００６】
第２コネクタハウジング１２０は、先端側に、第１コネクタハウジング１１０が挿入される略角筒状のフード部１２２を備えている。フード部１２２は、第１コネクタハウジング１１０のガイド突起１１４に対応する位置に、ガイド突起１１４が摺動可能に嵌合する前記ハウジングガイド溝１２１が装備されている。
【０００７】
嵌合操作レバー１３０は、長さ方向の中間部が第１コネクタハウジング１１０の側面１１１に回動可能に結合される一対のレバー本体１３１と、各レバー本体１３１の一端に装備されて第２コネクタハウジング１２０のレバー係合部に回動可能に係合するハウジング作用部１３２と、各レバー本体１３１の他端同士を連結した操作部１３３と、を備えている。
【０００８】
各レバー本体１３１は、図１３に示すように、長手方向の中間部に装備された一対の支点用穴１３４ａ，１３４ｂに第１コネクタハウジング１１０の一対のレバー支持軸１１２ａ．１１２ｂを嵌合させることで、第１コネクタハウジング１１０の側面１１１に沿って回動可能に、第１コネクタハウジング１１０に連結される。
【０００９】
レバー本体１３１に装備された一対の支点用穴１３４ａ，１３４ｂは、円弧状の長穴で、第１コネクタハウジング１１０上でのレバー本体１３１の回動範囲を規制する。具体的には、一対の支点用穴１３４ａ，１３４ｂは、レバー本体１３１が回動開始位置（図１３に示した位置）から回動終了位置まで回動可能にしている。
【００１０】
各レバー本体１３１は、第１コネクタハウジング１１０の側面１１１に沿って、第１コネクタハウジング１１０の第２コネクタハウジング１２０への嵌合方向（図１２では、矢印Ｘ１方向）に延出した係合片１３５を有している。レバー本体１３１（嵌合操作レバー１３０）は、図１３に示すように、係合片１３５の先端面１３５ａを、第１コネクタハウジング１１０のレバー仮係止部１１３の当接面１１３ａに当接することで、回動開始位置に仮係止される。
【００１１】
レバー仮係止部１１３に仮係止されているレバー本体１３１は、図１２に矢印Ｙ１で示すように、係合片１３５の先端面１３５ａを、側面１１１から離間する方向に撓ませることで、係合片１３５がレバー仮係止部１１３を乗り越え可能になり、仮係止が解除された状態になる。
【００１２】
嵌合操作レバー１３０は、レバー仮係止部１１３による仮係止を解除すると、図１３に矢印Ｒ１で示すように、嵌合終了位置に向かって回動可能になる。
【００１３】
なお、図１３において、符号１４０は、第１コネクタハウジング１１０に収容された端子金具に接続された電線を示している。
【００１４】
ハウジング作用部１３２は、嵌合操作レバー１３０を回動開始位置に仮係止した第１コネクタハウジング１１０と第２コネクタハウジング１２０とを図１４に示すように嵌合開始位置に突き合わせた際に、第２コネクタハウジング１２０内（フード部１２２内）に装備されているレバー係止部（不図示）に回動可能に係合する。
【００１５】
また、第１コネクタハウジング１１０と第２コネクタハウジング１２０とを適正に嵌合開始位置に突き合わせたときには、図１５に示すように、係合片１３５の側部から突出する解除力受け片１３６が、第２コネクタハウジング１２０の係合片挿通溝１２５内に装備された仮係止解除用傾斜面１２５ａに乗り上げることで、係合片１３５の先端が側面１１１から離れる方向に撓む。この係合片１３５の先端の撓みによって、係合片１３５がレバー仮係止部１１３から離脱して、嵌合操作レバー１３０の仮係止状態が解除される。
【００１６】
即ち、第１コネクタハウジング１１０と第２コネクタハウジング１２０とを適正に嵌合開始位置に突き合わせたときには、嵌合操作レバー１３０の仮係止が解除され、嵌合操作レバー１３０が、回動開始位置から回動終了位置まで回動可能になる。
【００１７】
操作部１３３は、嵌合操作レバー１３０を回動操作する際に手指をかける部位である。
図１４に示すようにコネクタハウジング相互を適正に嵌合開始位置に突き合わせた状態にして、操作部１３３を図１４の矢印Ｒ２方向に押下すると、嵌合操作レバー１３０が回動する。嵌合操作レバー１３０が回動するとき、操作部１３３がてこの力点、一対の支点用穴１３４ａ，１３４ｂがてこの作用点、ハウジング作用部１３２がてこの支点として機能して、第１コネクタハウジング１１０と第２コネクタハウジング１２０とを嵌合を深める方向に移動させる。
【００１８】
嵌合操作レバー１３０が回動終了位置まで回動されると、コネクタハウジング相互の嵌合が完了する。
【００１９】
嵌合操作レバー１３０の回動操作によってコネクタハウジング相互を嵌合させる場合、嵌合操作レバー１３０がてことして機能する。そのため、コネクタハウジング相互を直接嵌合方向に付勢することでコネクタハウジング相互を嵌合させる場合と比較して、小さな操作力でコネクタハウジング相互の嵌合を完了させることができる。
【先行技術文献】
【特許文献】
【００２０】
【特許文献１】特開２０１２−３８４９８号公報
【発明の概要】
【発明が解決しようとする課題】
【００２１】
ところが、特許文献１に記載のレバー式コネクタ１００では、第１コネクタハウジング１１０と第２コネクタハウジング１２０とを嵌合開始位置に突き合わせた嵌合初期の状態では、コネクタハウジング相互間に小さなガタが残存している。そのため、図１６に示すように、第１コネクタハウジング１１０に収容される電線１４０により、第１コネクタハウジング１１０や嵌合操作レバー１３０にガタつき方向の負荷Ｒ３が作用すると、その負荷Ｒ３によって、第１コネクタハウジング１１０や嵌合操作レバー１３０が、第２コネクタハウジング１２０に対して角度θだけ傾いてしまう。
【００２２】
そして、第１コネクタハウジング１１０や嵌合操作レバー１３０が、第２コネクタハウジング１２０に対して傾くと、コネクタハウジング相互を嵌合開始位置に突き合わせた際に、図１５に示した解除力受け片１３６が、第２コネクタハウジング１２０の係合片挿通溝１２５内の仮係止解除用傾斜面１２５ａに乗り上げできず、嵌合操作レバー１３０の仮係止状態を解除できなくなるおそれがあった。
【００２３】
また、嵌合操作レバー１３０の仮係止状態が解除されていない状態で、嵌合操作レバー１３０が無理に押下されると、嵌合操作レバー１３０の破損を招くおそれがあった。
【００２４】
そのため、特許文献１のレバー式コネクタ１００の場合は、コネクタハウジング相互を嵌合開始位置に突き合わせる作業の際には、第１コネクタハウジング１１０や嵌合操作レバー１３０に傾きが生じないように、作業を慎重に行わなければならず、作業性が悪いという問題もあった。
【００２５】
そこで、本発明の目的は、上記課題を解消することに係り、嵌合操作レバーの仮係止状態を確実に解除することができ、また、仮係止状態の解除に面倒な作業が不要なレバー式コネクタを提供することにある。
【課題を解決するための手段】
【００２６】
本発明の前述した目的は、下記の構成により達成される。
（１）  第１コネクタハウジングと、該第１コネクタハウジングが嵌合するフード部を有する第２コネクタハウジングと、前記第１コネクタハウジングの側面に回動可能に連結されて、前記第１コネクタハウジングと前記第２コネクタハウジングとを嵌合開始位置に突き合わせた状態で回動開始位置から回動終了位置まで回動操作することでコネクタハウジング相互の嵌合を完了させる嵌合操作レバーと、を備えるレバー式コネクタであって、
前記第１コネクタハウジングの前記側面に設けられ、前記嵌合操作レバーを前記回動開始位置に仮係止するレバー仮係止部と、
前記フード部の側壁内面に設けられ、前記レバー仮係止部による前記第１コネクタハウジングの仮係止を解除する仮係止解除手段と、
前記嵌合操作レバーのレバー本体に一体形成されて、前記フード部と前記第１コネクタハウジングとの間の隙間を埋めて、前記第１コネクタハウジング及び前記嵌合操作レバーを前記フード部と平行な姿勢に保持する姿勢保持片と、
を備えたことを特徴とするレバー式コネクタ。
【００２７】
（２）  前記姿勢保持片は、前記レバー本体から延出して、前記嵌合操作レバーと前記第１コネクタハウジングとの間に画成されて外部の電線が割り込み可能な隙間を塞ぐ電線噛み込み防止片を兼ねていることを特徴とする上記（１）に記載のレバー式コネクタ。
【００２８】
上記（１）の構成によれば、嵌合操作レバーが回動開始位置に仮係止されている第１コネクタハウジングと第２コネクタハウジングとを嵌合開始位置につきあわせた際には、嵌合操作レバーのレバー本体に一体形成された姿勢保持片が、第２コネクタハウジングのフード部の側壁内面と第１コネクタハウジングの側面との間の隙間を埋めることで、第１コネクタハウジング及び嵌合操作レバーを、第２コネクタハウジングのフード部と平行な姿勢に保持する。
【００２９】
従って、第１コネクタハウジングから導出した電線からの負荷が作用しても、第１コネクタハウジングのガタつきによって第１コネクタハウジングや嵌合操作レバーに傾きが生じることが無い。そのため、コネクタハウジング相互を嵌合開始位置に突き合わせた際には、フード部の側壁内面に装備されている仮係止解除手段が第１コネクタハウジング上のレバー仮係止部による嵌合操作レバーの仮係止を、確実に解除することができる。
【００３０】
また、コネクタハウジング相互を嵌合開始位置に突き合わせる作業中、第１コネクタハウジングや嵌合操作レバーの傾きを修正するための特別な作業や配慮が不要で、コネクタハウジング相互を嵌合開始位置に突き合わせた後、速やかに、嵌合操作レバーの回動操作を開始することができる。従って、コネクタハウジング相互を速やかに嵌合させることができ、作業性を向上させることができる。
【００３１】
上記（２）の構成によれば、姿勢保持片は、嵌合操作レバーと第１コネクタハウジング又は第２コネクタハウジングとの間に外部の電線が割り込むことを防止する電線噛み込み防止片を兼ねている。そのため、電線の噛み込み防止のために、姿勢保持片とは別に、専用の電線噛み込み防止片を装備する必要がなくなり、嵌合操作レバーの構造の複雑化を防止することができる。
【００３２】
また、電線噛み込み防止片を備えたことで、コネクタハウジング相互の着脱を繰り返しても、嵌合操作レバーがコネクタハウジングとの間に電線を挟んで電線を傷つけるおそれが無い。
【発明の効果】
【００３３】
本発明によるレバー式コネクタによれば、コネクタハウジング相互を嵌合開始位置に突き合わせた際に、第１コネクタハウジングに装備されている嵌合操作レバーの仮係止状態を確実に解除することができる。また、仮係止状態の解除に面倒な作業が不要で、コネクタハウジング相互を嵌合開始位置に突き合わせた後は、速やかに、嵌合操作レバーの回動操作に移行して、コネクタハウジング相互を速やかに嵌合させることができる。
【００３４】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００３５】
【図１】図１は、本発明に係るレバー式コネクタの一実施形態の分解斜視図である。
【図２】図２は、図１に示した第１コネクタハウジングに嵌合操作レバーが組み付けられた状態の斜視図である。
【図３】図３は、図１に示したレバー式コネクタにおいて、第１コネクタハウジングと第２コネクタハウジングとが嵌合開始位置に仮組立された状態の斜視図である。
【図４】図４は、図１に示した第２コネクタハウジングのＡ部の拡大図である。
【図５】図５は、図１に示した第２コネクタハウジングの左右反転した状態の斜視図である。
【図６】図６は、図１に示した嵌合操作レバーのＢ部の拡大図である。
【図７】図７は、図３のＣ矢視図である。
【図８】図８は、図７のＤ−Ｄ矢視断面図である。
【図９】図９は、図３のＥ部の拡大図である。
【図１０】図１０は、図７のＦ部の拡大図である。
【図１１】図１１は、本発明の一実施形態のレバー式コネクタにおいて、第１コネクタハウジングと第２コネクタハウジングの嵌合が完了した状態の斜視図である。
【図１２】図１２は、従来のレバー式コネクタの分解斜視図である。
【図１３】図１３は、従来のレバー式コネクタにおける第１コネクタハウジングに嵌合操作レバーが組み付けられた状態の平面図である。
【図１４】図１４は、従来のレバー式コネクタにおける第１コネクタハウジングと第２コネクタハウジングとが嵌合開始位置に仮組立された状態の斜視図である。
【図１５】図１５は、図１４におけるＧ部の拡大図である。
【図１６】図１６は、図１４のＨ矢視図である。
【発明を実施するための形態】
【００３６】
以下、本発明に係るレバー式コネクタの好適な実施形態について、図面を参照して詳細に説明する。
【００３７】
図１〜図１１は本発明に係るレバー式コネクタの一実施形態を示したもので、図１は本発明に係るレバー式コネクタの一実施形態の分解斜視図、図２は図１に示した第１コネクタハウジングに嵌合操作レバーが組み付けられた状態の斜視図、図３は図１に示したレバー式コネクタにおいて、第１コネクタハウジングと第２コネクタハウジングとが嵌合開始位置に仮組立された状態の斜視図、図４は図１に示した第２コネクタハウジングのＡ部の拡大図、図５は図１に示した第２コネクタハウジングの左右反転した状態の斜視図、図６は図１に示した嵌合操作レバーのＢ部の拡大図、図７は図３のＣ矢視図、図８は図７のＤ−Ｄ矢視断面図、図９は図３のＥ部の拡大図、図１０は図７のＦ部の拡大図、図１１は本発明の一実施形態のレバー式コネクタにおいて、第１コネクタハウジングと第２コネクタハウジングの嵌合が完了した状態の斜視図である。
【００３８】
この一実施形態のレバー式コネクタ３は、図１に示すように、第１コネクタハウジング４と、この第１コネクタハウジング４内に組み付けられて第１コネクタハウジング４における端子金具（雌端子金具）の保持性能を向上させる第１スペーサ４ａと、第１コネクタハウジング４の嵌合相手となる第２コネクタハウジング５と、この第２コネクタハウジング５内に組み付けられて第２コネクタハウジング５における端子金具（雄端子金具）の保持性能を向上させる第２スペーサ５ａと、コネクタハウジング相互の嵌合方向に移動可能に第２コネクタハウジング５内に組み付けられて第２コネクタハウジング５内の端子金具の保護と端子金具のアライメントを補正するアライニングプレート５ｂと、第１コネクタハウジング４の側面４１ｂに回動可能に連結されてコネクタハウジング相互の嵌合に使用される嵌合操作レバー６と、第１コネクタハウジング４に装備されたレバー仮係止部４１３と、第２コネクタハウジング５に装備された仮係止解除手段５２（図４参照）と、嵌合操作レバー６のレバー本体６１に一体形成された姿勢保持片６５と、を備えている。
【００３９】
第１コネクタハウジング４は、図１及び図２に示すように、複数の端子収容孔４１１を多段に配列した略直方体状のハウジング本体４１と、このハウジング本体４１の上下の平坦な側面４１ｂに突設された一対のレバー支持軸４１２ａ，４１２ｂと、側面４１ｂに装備されて嵌合操作レバー６を回動開始位置に仮係止するレバー仮係止部４１３と、第２コネクタハウジング５のハウジングガイド溝５３（図５参照）に摺動可能に嵌合するガイド突起４１４と、を有している。
【００４０】
一対のレバー支持軸４１２ａ，４１２ｂは、図２に示すように、嵌合操作レバー６のレバー本体６１に形成された一対の支点用穴６４ａ，６４ｂに嵌合することで、レバー本体６１（嵌合操作レバー６）を、回動可能に支持する。嵌合操作レバー６のレバー本体６１は、第１コネクタハウジング４の側面４１ｂの上に重なる板状である。
【００４１】
レバー仮係止部４１３は、側面４１ｂの上に突出する係止突起で、後述する嵌合操作レバー６の係合片６２の先端面６２１（図６参照）と当接することで、嵌合操作レバー６が後述の回動開始位置より先（回動終了位置側で、図２の矢印Ｒ４側）に回動することを阻止し、図２に示すように、嵌合操作レバー６を回動開始位置に仮係止する。
【００４２】
ガイド突起４１４は、コネクタハウジング相互の嵌合方向（図１の矢印Ｘ３方向）に沿って延在する突片で、第１コネクタハウジング４の上下の側面４１ｂの幅方向（図１の矢印Ｙ３方向）の両端に装備されている。
【００４３】
各ガイド突起４１４は、図３に示すように、コネクタハウジング相互の嵌合方向（図３では、矢印Ｘ４方向）に摺動可能に、第２コネクタハウジング５のハウジングガイド溝５３に嵌合して、コネクタハウジング相互の嵌合時のガタつきを抑制する。
【００４４】
第２コネクタハウジング５は、第１コネクタハウジング４が挿入される略角筒状のフード部５１を備えている。そして、フード部５１内には、図４及び図５に示すように、仮係止解除手段５２と、ハウジングガイド溝５３と、レバー係止部（図示ぜず）と、を備えている。
【００４５】
なお、図５に示すように、第２コネクタハウジング５内に組み込まれたアライニングプレート５ｂは、フード部５１の内壁面に装備された抜け防止アーム５１１により、抜け止めされている。抜け防止アーム５１１による係止位置は、正規の取り付け位置よりも手前に位置した仮位置であり、アライニングプレート５ｂはその仮位置よりも奥に移動可能であり、第２コネクタハウジング５に第１コネクタハウジング４を嵌合させたとき、第１コネクタハウジング４の嵌合に従動して、奥に移動する。
【００４６】
仮係止解除手段５２は、第１コネクタハウジング４の側面４１ｂと対向するフード部５１の側壁内面に装備されている。この仮係止解除手段５２は、図４に示すように、コネクタハウジング相互の嵌合方向に対して傾斜した傾斜面５２１を有している。
【００４７】
この傾斜面５２１は、嵌合操作レバー６が回動開始位置に仮係止されている第１コネクタハウジング４が、適正な姿勢で嵌合開始位置に位置合わせされたときに、係合片６２の側端に突設された解除力受け片６２２（図６参照）が乗り上げる斜面である。
【００４８】
ここに、第１コネクタハウジング４の適正姿勢とは、第１コネクタハウジング４がフード部５１の側壁内面と平行に向いた姿勢であり、第１コネクタハウジング４の中心軸方向が第２コネクタハウジング５の中心軸方向と平行になる姿勢である。
【００４９】
仮係止解除手段５２における傾斜面５２１は、係合片６２の側端の解除力受け片６２２が乗り上げることで、係合片６２の先端をハウジング本体４１から離反する方向（図２では、矢印Ｚ４方向）に撓み変形させて、係合片６２がレバー仮係止部４１３を乗り越え可能にする。即ち、本実施形態における仮係止解除手段５２は、第１コネクタハウジング４がフード部５１の側壁内面と平行な姿勢で嵌合開始位置に位置合わせされたときに、嵌合操作レバー６の解除力受け片６２２が傾斜面５２１に乗り上げることで、レバー仮係止部４１３による仮係止状態を解除し、嵌合操作レバー６の回動終了位置に回動可能にする。
【００５０】
ハウジングガイド溝５３は、第１コネクタハウジング４のガイド突起４１４が摺動可能に嵌合する溝で、第１コネクタハウジング４上のガイド突起４１４の装備位置に対応して、フード部５１の内面に装備されている。各ハウジングガイド溝５３は、コネクタハウジング相互の嵌合方向に延在して設けられていて、コネクタハウジング相互の嵌合時に、ハウジング相互のガタつきを抑制して、コネクタハウジング相互の嵌合動作を円滑化する。
【００５１】
嵌合操作レバー６は、図１及び図２に示すように、第１コネクタハウジング４のハウジング本体４１に回動可能に連結される一対のレバー本体６１と、このレバー本体６１に一体形成された係合片６２及び姿勢保持片６５と、各レバー本体６１の一端に装備されたハウジング作用部６６と、各レバー本体６１の他端同士を連結した操作部６７と、を備えている。
【００５２】
一対のレバー本体６１は、第１コネクタハウジング４の側面４１ｂの上に重なる板状で、側面４１ｂの一対のレバー支持軸４１２ａ，４１２ｂと係合する一対の支点用穴６４ａ，６４ｂを有している。
【００５３】
一対の支点用穴６４ａ，６４ｂは、第１コネクタハウジング４の一対のレバー支持軸４１２ａ，４１２ｂが摺動可能に嵌合する円弧上の長穴で、レバー本体６１を回動開始位置から回動終了位置まで回動可能に側面４１ｂに連結している。
【００５４】
係合片６２は、図６に示すように、レバー本体６１からコネクタハウジング相互の嵌合方向（図６では、矢印Ｘ５方向）に向かって延出した短冊状の板片である。この係合片６２は、図２に示したように、その先端面をハウジング本体４１のレバー仮係止部４１３に当接することで、レバー本体６１（即ち、嵌合操作レバー６）を回動開始位置に位置決めする。
【００５５】
この係合片６２の側端には、図６に示すように、解除力受け片６２２が、係合片６２の延出方向と直交するコネクタ幅方向（図６では、矢印Ｙ５方向）に突出して設けられている。
【００５６】
この解除力受け片６２２は、レバー仮係止部４１３によって嵌合操作レバー６が回動開始位置に仮係止されている第１コネクタハウジング４が、第２コネクタハウジング５のフード部５１の側壁内面と平行な姿勢で嵌合開始位置に位置合わせされたときに、図４に示した仮係止解除手段５２の傾斜面５２１に乗り上げることで、係合片６２の先端に側面４１ｂから離反する方向の撓みを付与して、レバー仮係止部４１３による仮係止状態を解除する。
【００５７】
姿勢保持片６５は、図６に示すように、係合片６２と並ぶように、レバー本体６１からコネクタハウジング相互の嵌合方向に沿って延出した短冊状の板片である。
【００５８】
この姿勢保持片６５は、第１コネクタハウジング４を嵌合開始位置に位置合わせしたときに、図８〜図１０に示すように、フード部５１の側壁内面となる垂直リブ５５の先端面５５１と、第１コネクタハウジング４の側面４１ｂとの間の隙間Ｓ（図８及び図１０参照）を埋めて、第１コネクタハウジング４及び前記嵌合操作レバー６をフード部５１の側壁内面と平行な姿勢に保持する。
【００５９】
言い換えると、姿勢保持片６５は、第１コネクタハウジング４を嵌合開始位置に位置合わせしたときに、垂直リブ５５の先端面５５１と、第１コネクタハウジング４の側面４１ｂとの間の隙間Ｓに嵌入して、図１０に示すように、先端面５５１と側面４１ｂとで挟持された状態になり、フード部５１内で第１コネクタハウジング４及び嵌合操作レバー６が傾くことを防止する。
【００６０】
また、本実施形態の場合、姿勢保持片６５は、レバー本体６１の他端寄りの位置において、コネクタハウジング相互の嵌合方向に沿って延出した構造である。姿勢保持片６５は、嵌合操作レバー６と第１コネクタハウジング４及び第２コネクタハウジング５との間に画成されて外部の電線が割り込み可能な略Ｖ字型の隙間ＤＳ（図２参照）を塞ぐ電線噛み込み防止片を兼ねている。
【００６１】
ハウジング作用部６６は、レバー本体６１の一端に装備されていて、図３に示したように、第１コネクタハウジング４と第２コネクタハウジング５とを嵌合開始位置に突き合わせたときに、第２コネクタハウジング５内の不図示のレバー係合部に回動可能に係合する。
【００６２】
操作部６７は、レバー本体６１の他端に装備されている。この操作部６７は、嵌合操作レバー６を回動操作する際に手指をかける部位である。
【００６３】
以上に説明した嵌合操作レバー６は、第１コネクタハウジング４のレバー仮係止部４１３によって回動開始位置に仮係止されている状態で、第１コネクタハウジング４と第２コネクタハウジング５とを嵌合開始位置に突き合わせると、図９に示したように、姿勢保持片６５が垂直リブ５５の先端面５５１と側面４１ｂとの間の隙間Ｓを埋めて、第１コネクタハウジング４及び嵌合操作レバー６が、第２コネクタハウジング５の側壁内面（例えば、先端面５５１）に平行な姿勢で、第２コネクタハウジング５に組み付けられる。そのため、嵌合操作レバー６の解除力受け片６２２が、確実に第２コネクタハウジング５の仮係止解除手段５２の傾斜面５２１に乗り上げる。そして、解除力受け片６２２が傾斜面５２１に乗り上げることで、係合片６２の先端が第１コネクタハウジング４の側面４１ｂから離反する方向に撓み変形して、レバー仮係止部４１３による仮係止状態が確実に解除される。
【００６４】
従って、第１コネクタハウジング４と第２コネクタハウジング５を嵌合開始位置に突き合わせることで、確実に嵌合操作レバー６の仮係止状態が解除され、嵌合操作レバー６が回動開始位置から回動終了位置に回動可能になる。
【００６５】
そして、嵌合操作レバー６を回動終了位置に回動させた場合は、嵌合操作レバー６の操作部６７がてこの力点、一対の支点用穴６４ａ，６４ｂが第１コネクタハウジング４に力を作用させるてこの作用点、ハウジング作用部６６が第２コネクタハウジング５に力を作用させるてこの支点として機能する。そのため、第１コネクタハウジング４と第２コネクタハウジング５とを直接嵌合方向に付勢して第１コネクタハウジング４と第２コネクタハウジング５とを嵌合させる場合と比較して、小さな操作力で第１コネクタハウジング４と第２コネクタハウジング５との嵌合を完了させることができる。
【００６６】
本実施形態のレバー式コネクタ３は、第１コネクタハウジング４と第２コネクタハウジング５との嵌合が完了した状態では、図１１に示すように、嵌合操作レバー６の大半がフード部５１内に納まって、外部に突出する部位の無いすっきりとした外観形状になる。
【００６７】
以上に説明した一実施形態のレバー式コネクタ３の場合、嵌合操作レバー６が回動開始位置に仮係止されている第１コネクタハウジング４と第２コネクタハウジング５とを嵌合開始位置につきあわせた際には、嵌合操作レバー６のレバー本体６１に一体形成された姿勢保持片６５が、第２コネクタハウジング５のフード部５１の側壁内面（垂直リブ５５の先端面５５１）と第１コネクタハウジング４の側面４１ｂとの間の隙間Ｓを埋めることで、第１コネクタハウジング４及び嵌合操作レバー６を、図１０に示したように、第２コネクタハウジング５のフード部５１の側壁内面と平行な姿勢に保持する。
【００６８】
従って、第１コネクタハウジング４から導出した不図示の電線からの負荷が作用しても、第１コネクタハウジング４のガタつきによって第１コネクタハウジング４や嵌合操作レバー６に傾きが生じることが無い。そのため、コネクタハウジング相互を嵌合開始位置に突き合わせた際には、フード部５１の側壁内面に装備されている仮係止解除手段５２が第１コネクタハウジング４上のレバー仮係止部４１３による嵌合操作レバー６の仮係止を、確実に解除することができる。
【００６９】
また、コネクタハウジング相互を嵌合開始位置に突き合わせる作業中、第１コネクタハウジング４や嵌合操作レバー６の傾きを修正するための特別な作業や配慮が不要で、コネクタハウジング相互を嵌合開始位置に突き合わせた後、速やかに、嵌合操作レバー６の回動操作を開始することができる。従って、コネクタハウジング相互を速やかに嵌合させることができ、作業性を向上させることができる。
【００７０】
また、一実施形態のレバー式コネクタ３の場合、姿勢保持片６５は、嵌合操作レバー６と第１コネクタハウジング４又は第２コネクタハウジング５との間に外部の電線が割り込むことを防止する電線噛み込み防止片を兼ねている。従って、電線の噛み込み防止のために、姿勢保持片６５とは別に、専用の電線噛み込み防止片を装備する必要がなくなり、嵌合操作レバー６の構造の複雑化を防止することができる。
【００７１】
また、電線噛み込み防止片を備えたことで、コネクタハウジング相互の着脱を繰り返しても、嵌合操作レバー６がコネクタハウジングとの間に電線を挟んで電線を傷つけるおそれが無い。
【００７２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７３】
ここで、上述した本発明に係るレバー式コネクタの実施形態の特徴をそれぞれ以下［１］〜［２］に簡潔に纏めて列記する。
【００７４】
［１］  第１コネクタハウジング（４）と、該第１コネクタハウジング（４）が嵌合するフード部（５１）を有する第２コネクタハウジング（５）と、前記第１コネクタハウジング（４）の側面（４１ｂ）に回動可能に連結されて、前記第１コネクタハウジング（４）と前記第２コネクタハウジング（５）とを嵌合開始位置に突き合わせた状態で回動開始位置から回動終了位置まで回動操作することでコネクタハウジング相互の嵌合を完了させる嵌合操作レバー（６）と、を備えるレバー式コネクタ（３）であって、
前記第１コネクタハウジング（４）の前記側面（４１ｂ）に設けられ、前記嵌合操作レバー（６）を前記回動開始位置に仮係止するレバー仮係止部（４１３）と、
前記フード部（５１）の側壁内面に設けられ、前記レバー仮係止部（４１３）による前記第１コネクタハウジング（４）の仮係止を解除する仮係止解除手段（５２）と、
前記嵌合操作レバー（６）のレバー本体（６１）に一体形成されて、前記フード部（５１）と前記第１コネクタハウジング（４）との間の隙間を埋めて、前記第１コネクタハウジング（４）及び前記嵌合操作レバー（６）を前記フード部（５１）と平行な姿勢に保持する姿勢保持片（６５）と、
を備えたことを特徴とするレバー式コネクタ（３）。
【００７５】
［２］  前記姿勢保持片（６５）は、前記レバー本体（６１）から延出して、前記嵌合操作レバー（６）と前記第１コネクタハウジング（４）との間に画成されて外部の電線が割り込み可能な隙間を塞ぐ電線噛み込み防止片を兼ねていることを特徴とする上記［１］に記載のレバー式コネクタ（３）。
【符号の説明】
【００７６】
３  レバー式コネクタ
４  第１コネクタハウジング
５  第２コネクタハウジング
６  嵌合操作レバー
４１ｂ  側面
５１  フード部
５２  仮係止解除手段
６１  レバー本体
６５  姿勢保持片
４１３  レバー仮係止部
【図１】
2016096107.tif 000003
【図２】
2016096107.tif 000004
【図３】
2016096107.tif 000005
【図４】
2016096107.tif 000006
【図５】
2016096107.tif 000007
【図６】
2016096107.tif 000008
【図７】
2016096107.tif 000009
【図８】
2016096107.tif 000010
【図９】
2016096107.tif 000011
【図１０】
2016096107.tif 000012
【図１１】
2016096107.tif 000013
【図１２】
2016096107.tif 000014
【図１３】
2016096107.tif 000015
【図１４】
2016096107.tif 000016
【図１５】
2016096107.tif 000017
【図１６】
2016096107.tif 000018